(57)【要約】【課題】収納具に収納された特定の標本を容易に識別することができる標本収納装置を提供する。【解決手段】複数の標本１０を収納可能なラック１２に検査済みの標本１０を収納するための標本収納装置であって、ラック１２に標本１０を収納する標本収納部２０〜２３と、標本収納部２０〜２３の動作を制御する制御部３ｂとを備えており、制御部３ｂは、検査結果に関する所定の条件を満たす特定の標本１０を、他の標本１０と区別してラック１２に収納するように、標本収納部２０〜２３を制御する。【選択図】      図１
2014070943.tif 000002
【特許請求の範囲】
【請求項１】
複数の標本を収納可能な収納具に検査済みの標本を収納するための標本収納装置であって、
前記収納具に標本を収納する標本収納部と、
前記標本収納部の動作を制御する制御部と、を備えており、
前記制御部は、検査結果に関する所定の条件を満たす特定の標本を、他の標本と区別して前記収納具に収納するように、前記標本収納部を制御する、標本収納装置。
【請求項２】
前記制御部は、前記特定の標本と前記他の標本とを前記収納具内で分けて収納するように前記標本収納部を制御する、請求項１記載の標本収納装置。
【請求項３】
前記収納具には、複数の標本を並列して収納可能であり、
前記特定の標本の収納スペースを含む領域と、前記他の標本の収納スペースを含む領域とが、前記標本の並列方向の一方側と他方側と分けて設定される、請求項２記載の標本収納装置。
【請求項４】
前記制御部は、前記収納具内の特定の収納スペースに、前記特定の標本を収納するように前記標本収納部を制御する、請求項１に記載の標本収納装置。
【請求項５】
前記収納具には、複数の標本を並列して収納可能であり、
前記特定の収納スペースが、前記収納具における前記標本の並列方向の端部側に設定されている、請求項４に記載の標本収納装置。
【請求項６】
前記特定標本の収納スペースが、他の標本の収納スペースよりも少なく設定されている、請求項４又は５に記載の標本収納装置。
【請求項７】
前記特定の標本を収納するための収納スペースを含む領域と、前記他の標本を収納するための収納スペースを含む領域との間には、標本が収納されない収納スペースが設けられる、請求項２〜６のいずれか１項に記載の標本収納装置。
【請求項８】
前記収納具における前記標本の並列方向の一端側から前記特定の標本が順次収納され、同他端側から前記他の標本が順次収納され、前記特定の標本の収納スペースを含む領域と、前記他の標本の収納スペースを含む領域との間には、標本が収納されない所定数の収納スペースが設けられる、請求項３に記載の標本収納装置。
【請求項９】
前記標本収納部は、前記収納具を所定の標本収納位置に移動させる収納具移動機構と、
前記標本を前記標本収納位置に移動させる標本移動機構と、を備えている、請求項１〜８のいずれか１項に記載の標本収納装置。
【請求項１０】
前記標本移動機構は、前記標本の保持と開放とを切り替えて行う保持部を含んでおり、
前記制御部は、前記標本を保持した前記保持部を前記標本収納位置の上方に移動し、その後、前記保持部を下降させることによって前記標本収納位置にある前記収納具に前記標本を収納し、前記保持部を開放させる、請求項９に記載の標本収納装置。
【請求項１１】
前記制御部は、前記標本の検査結果に関する前記所定の条件を満たすか否かを判定する機能を有する、請求項１〜１０のいずれか１項に記載の標本収納装置。
【請求項１２】
前記制御部は、前記検査結果が所定の閾値以上である特定の標本を、他の標本と区別して前記収納具に収納するように、前記標本収納部を制御する、請求項１〜１１のいずれか１項に記載の標本収納装置。
【請求項１３】
前記特定の標本は、再検査が必要な標本である、請求項１〜１２のいずれか１項に記載の標本収納装置。
【請求項１４】
表示部と、前記所定の規則に基づく特定の標本と他の標本との収納スペースの配置を前記表示部に表示させる表示制御手段とをさらに備えている、請求項１〜１３のいずれか１項に記載の標本収納装置。
【請求項１５】
複数の標本を収納可能な収納具に検査済みの標本を収納するための標本収納装置であって、
前記収納具に標本を収納する標本収納部と、
前記標本収納部の動作を制御する制御部と、を備えており、
前記制御部は、検査結果に関する所定の条件を満たす特定の標本を、他の標本と区別して異なる前記収納具にそれぞれ収納するように、前記標本収納部を制御する、標本収納装置。
【請求項１６】
複数の標本を収納可能な収納具に検査済みの標本を収納するための標本収納装置における標本収納方法であって、
検査済みの標本を受け取り、
受け取った標本が、検査結果に関する所定の条件を満たす特定の標本であるか否かに関する情報を受け取り、
検査結果に関する所定の条件を満たす特定の標本を、他の標本と区別して前記収納具に自動的に収納する、標本収納方法。
【請求項１７】
標本に対して検査を行う標本検査装置と、
複数の標本を収納可能な収納具に検査済みの標本を収納するための標本収納装置と、を含む標本検査システムであって、
前記標本検査装置は、
前記標本を検査する検査部と、
前記検査部による検査結果に関する情報を送信する送信部と、を備えており、
前記標本収納装置は、
前記検査結果に関する情報を受信する受信部と、
前記収納具に標本を収納する標本収納部と、
前記標本収納部の動作を制御する制御部と、を備えており、
前記制御部は、検査結果に関する所定の条件を満たす特定の標本を、他の標本と区別して前記収納具に収納するように、前記標本収納部を制御する、標本検査システム。
【発明の詳細な説明】
【技術分野】
【０００１】
本発明は、標本撮像装置等によって検査済みの標本を収納具に収納する標本収納装置、標本収納方法、及びこれを備えた標本検査システムに関する。
【背景技術】
【０００２】
従来、スライドガラスに血液等の検体を塗末し染色処理等を行って作製した標本を、顕微鏡とカメラとで撮像する撮像装置が知られている。この撮像装置によって撮像された画像は、自動的な細胞分類や、使用者の手動による細胞分類のために使用される。
【０００３】
例えば、下記特許文献１には、標本の作製から検査（分析）までの一連の動作を行う標本画像撮像システムが開示されている。この標本画像撮像システムは、標本作製装置によって血液の標本を作製し、この標本を標本搬送装置によって標本撮像装置（血液像分析装置）に搬送し、標本撮像装置において標本の撮像を行った後、当該標本を所定のマガジンに回収する。このマガジンは、水平の姿勢にした標本を上下方向に並べて収納することができる複数の収納スペースを備えている。
【先行技術文献】
【特許文献】
【０００４】
【特許文献１】特開２００８−１３９１１７号公報
【発明の概要】
【発明が解決しようとする課題】
【０００５】
特許文献１記載の標本撮像装置は、分析状況を表示するＣＲＴ等の表示部を備えており、この表示部には、マガジン内における標本の収納スペースと、その収納スペースに収納された標本のＩＤ（検体番号）と、その標本の撮像状態とが対応づけられた状態で表示される。例えば、ある標本の撮像が適切に行われなかった場合には、その標本を収納している収納スペースに対応する項目として、その標本の検体番号の表示と、撮像状態としての「エラー」の表示とが行われる。したがって、ユーザーは、表示部を見ることによって、マガジン内のどの収納スペースにエラーとなった標本が収納されているかを把握することができる。
【０００６】
しかし、エラーとなった標本を再検査する場合、表示部を確認しながらマガジン内の所定の収納スペースから標本を取り出さなければならないので、取り出し作業が繁雑になるという欠点があった。また、マガジン内には、どのような撮像状態であるかに関わらず上位の収納スペースから順番に標本が収納されるので、エラーとなった標本と正常に撮像された標本とが混在した状態となる。そのため、表示部を見ながらエラーとなった標本を取り出そうとしても、誤って正常な標本を取り出してしまう可能性が高くなる。
【０００７】
本発明は、以上のような事情に鑑み、収納具に収納された特定の標本を容易に識別することができる、標本収納装置、標本収納方法、及び標本検査システムを提供することを目的とする。
【課題を解決するための手段】
【０００８】
（１）本発明の第１の観点による標本収納装置は、
複数の標本を収納可能な収納具に検査済みの標本を収納するための標本収納装置であって、
前記収納具に標本を収納する標本収納部と、
前記標本収納部の動作を制御する制御部と、を備えており、
前記制御部は、検査結果に関する所定の条件を満たす特定の標本を、他の標本と区別して前記収納具に収納するように、前記標本収納部を制御することを特徴とする。
【０００９】
このような構成によって、使用者は、収納具に収納された特定の標本を容易に識別することができる。
【００１０】
（２）前記制御部は、前記特定の標本と前記他の標本とを前記収納具内で分けて収納するように前記標本収納部を制御することが好ましい。
このように構成することによって、収納具内における特定の標本の識別をより容易に行うことができる。
【００１１】
（３）上記（２）の構成において、前記収納具には、複数の標本を並列して収納可能であり、
前記特定の標本の収納スペースを含む領域と、前記他の標本の収納スペースを含む領域とが、前記標本の並列方向の一方側と他方側とに分けて設定されていることが好ましい。
このような構成によって、収納具内における特定の標本の識別をさらに容易に行うことができる。
【００１２】
（４）上記（１）の構成において、前記制御部は、前記収納具内の特定の収納スペースに、前記特定の標本を収納するように前記標本収納部を制御してもよい。
このような構成によって、特定の収納スペースを把握している使用者は、収納具に収納された特定の標本を容易に識別することができる。
【００１３】
（５）上記（４）の構成において、前記収納具には、複数の標本を並列して収納可能であり、
前記特定の収納スペースが、前記収納具における前記標本の並列方向の端部側に設定されていることが好ましい。
このような構成によって、収納具に収納された特定の標本をより容易に識別することができる。
【００１４】
（６）上記（４）（５）の構成において、前記特定の標本の収納スペースが、他の標本の収納スペースよりも少なく設定されていてもよい。
通常、再検査等が必要となる特定の標本は、他の標本（正常な標本）よりも少なくなるため、予め特定の標本の収納スペースを、他の標本の収納スペースよりも少なく設定しておくことで、より多くの標本を収納具に収納することができる。
【００１５】
（７）上記（２）〜（６）の構成において、前記特定の標本を収納するための収納スペースを含む領域と、前記他の標本を収納するための収納スペースを含む領域との間には、標本が収納されない収納スペースが設けられることが好ましい。
このような構成によって、標本が収納されない収納スペースを目印（仕切り）として、収納具内の特定の標本を容易に識別することができる。
【００１６】
（８）上記（３）の構成において、前記収納具における前記標本の並列方向の一端側から前記特定の標本が順次収納され、同他端側から前記他の標本が順次収納され、前記特定の標本の収納スペースを含む領域と、前記他の標本の収納スペースを含む領域との間には、標本が収納されない所定数の収納スペースが設けられてもよい。
このような構成によって、標本が収納されていない収納スペースを目印（仕切り）として、特定の標本を容易に識別することができる。さらに、標本が収納されない所定数の収納スペース以外は、全て特定の標本及び他の標本の収納のために有効に利用することができる。
【００１７】
（９）上記（１）〜（８）の構成において、前記標本収納部は、前記収納具を所定の標本収納位置に移動させる収納具移動機構と、
前記標本を前記標本収納位置に移動させる標本移動機構と、を備えていることが好ましい。
【００１８】
（１０）上記（９）の構成において、前記標本移動機構は、前記標本の保持と開放とを切り替えて行う保持部を含んでおり、
前記制御部は、前記標本を保持した前記保持部を前記標本収納位置の上方に移動し、その後、前記保持部を下降させることによって前記標本収納位置にある前記収納具に前記標本を収納し、前記保持部を開放させることが好ましい。
このような構成によって、保持部を上下方向に移動させる動作で収納具に好適に標本を収納することができる。
【００１９】
（１１）上記（１）〜（１０）の構成において、前記制御部は、前記標本の検査結果に関する前記所定の条件を満たすか否かを判定する機能を有していてもよい。
この場合、標本収納装置の制御部によって、検査結果に基づいて所定の条件を満たすか否かを判定し、その判定結果に応じて標本の収納スペースを選択することができる。
【００２０】
（１２）上記（１１）の構成において、前記制御部は、前記検査結果が所定の閾値以上である特定の標本を、他の標本と区別して前記収納具に収納するように、前記標本収納部を制御してもよい。
【００２１】
（１３）また、前記特定の標本は、再検査が必要な標本であってもよい。
【００２２】
（１４）また、標本収納装置は、表示部と、前記所定の規則に基づく特定の標本と他の標本との収納スペースの配置を前記表示部に表示させる表示制御手段とを備えることが好ましい。
これによって、使用者は表示部を見ることによって、収納具に収納された特定の標本をより確実に識別することができる。
【００２３】
（１５）本発明の第２の観点による標本収納装置は、複数の標本を収納可能な収納具に検査済みの標本を収納するための標本収納装置であって、
前記収納具に標本を収納する標本収納部と、
前記標本収納部の動作を制御する制御部と、を備えており、
前記制御部は、検査結果に関する所定の条件を満たす特定の標本を、他の標本と区別して、異なる前記収納具にそれぞれ収納するように、前記標本収納部を制御することを特徴とする。
このように、特定の標本が、他の標本を収納する収納具とは異なる収納具に収納されるので、使用者は、特定の標本を容易に識別することができる。
【００２４】
（１６）本発明の第３の観点による標本収納方法は、複数の標本を収納可能な収納具に検査済みの標本を収納するための標本収納装置における標本収納方法であって、
検査済みの標本を受け取り、
受け取った標本が、検査結果に関する所定の条件を満たす特定の標本であるか否かに関する情報を受け取り、
検査結果に関する所定の条件を満たす特定の標本を、他の標本と区別して前記収納具に自動的に収納する。
このような構成によって、使用者は、収納具に収納された特定の標本を容易に識別することができる。
（１７）本発明の第４の観点による標本検査システムは、
標本に対して検査を行う標本検査装置と、
複数の標本を収納可能な収納具に検査済みの標本を収納するための標本収納装置と、を含む標本検査システムであって、
前記標本検査装置は、
前記標本を検査する検査部と、
前記検査部による検査結果に関する情報を送信する送信部と、を備えており、
前記標本収納装置は、
前記検査結果に関する情報を受信する受信部と、
前記収納具に標本を収納する標本収納部と、
前記標本収納部の動作を制御する制御部と、を備えており、
前記制御部は、検査結果に関する所定の条件を満たす特定の標本を、他の標本と区別して前記収納具に収納するように、前記標本収納部を制御することを特徴とする。
【００２５】
このような構成によって、使用者は、収納具に収納された特定の標本を容易に識別することができる。
なお、検査部から送信される検査結果に関する情報とは、検査結果そのものであってもよいし、その検査結果に関する所定の条件を満たすか否かの情報であってもよい。前者の場合は、標本収納装置において前記所定の条件を満たすか否かの判定を行うようにしてもよい。
【発明の効果】
【００２６】
本発明によれば、収納具に収納された特定の標本を容易に識別することができる。
【図面の簡単な説明】
【００２７】
【図１】本発明の実施の形態における標本検査システムを示す全体構成図である。
【図２】標本プレートとカセットの斜視図である。
【図３】標本搬送装置におけるカセット移動機構（横移動部）の動作を示す正面説明図である。
【図４】標本搬送装置における上下移動機構を示す概略側面図である。
【図５】把持爪の開閉動作を説明する概略底面図である。
【図６】水平移動機構を示す平面説明図である。
【図７】図６のVII−VII矢視断面図である。
【図８】図６のVIII−VIII矢視断面図である。
【図９】水平移動機構の動作を示す平面説明図である。
【図１０】水平移動機構の動作を示す平面説明図である。
【図１１】ラックの側面図である。
【図１２】ラックの平面図である。
【図１３】ラック下部の下部を示す正面図である。
【図１４】図１２のXIV−XIV矢視断面図である。
【図１５】ラック移動機構を側方から見た断面説明図である。
【図１６】ラック移動機構を正面から見た断面説明図である。
【図１７】ラック移動機構を正面から見た断面説明図である。
【図１８】ラック移動機構の横移動部の動作を説明する概略平面図である。
【図１９】ラック移動機構の横移動部の動作を説明する概略平面図である。
【図２０】ラック移動機構の横移動部の動作を説明する概略平面図である。
【図２１】ラック移動機構の縦移動部（後退状態）を示す側面説明図である。
【図２２】ラック移動機構の縦移動部（前進状態）を示す側面説明図である。
【図２３】縦移動部の動作を説明する概略側面図である。
【図２４】ラックに標本を収納する際の収納規則の一例を示す説明図である。
【図２５】ラックに標本を収納する際の収納手順を示すフローチャートである。
【図２６】ラックに標本を収納する際の他の収納手順を示すフローチャートである。
【図２７】ラックに標本を収納する際の収納規則の他の例を示す説明図である。
【図２８】ラックに標本を収納する際の収納手順を示すフローチャートである。
【図２９】本発明の他の実施の形態におけるラックを示す概略平面図である。
【発明を実施するための形態】
【００２８】
以下、本発明の標本検査システムの実施の形態を図面を参照して説明する。
［標本検査システムの概略構成］
図１は、本発明の一実施の形態に係る標本検査システムを示す全体構成図である。
本実施の形態の標本検査システム１は、標本作製装置２、標本搬送装置３、及び標本撮像装置（標本検査装置）４から構成されており、血液等の検体の標本の作製から標本の撮像（検査、分析）までの一連の動作を自動的に行うシステムとされている。
なお、本明細書においては、図１に示すＸ方向を左右方向、Ｙ方向を前後方向、Ｚ方向を上下方向として説明する。また、図１においては下側を前側とし、上側を後側としており、標本作製装置２が標本検査システム１の右側部に配置され、標本撮像装置４が左側部に配置され、標本作製装置２と標本撮像装置４との左右間に標本搬送装置３が配置されている。標本搬送装置３は、その一部が標本撮像装置４の前側にオーバーラップして配置されている。また、本明細書においては、左右方向と言う意味で「横」と記載することがあり、前後方向という意味で「縦」と記載することがある。
【００２９】
標本作製装置２は、検体である血液をスライドガラス上に塗抹し、乾燥や染色等の処理を施すことによって標本プレート（以下、単に「標本」ともいう）１０を作製するものである。図２は、標本プレート１０とカセット１１の斜視図である。標本プレート１０は、ガラス等の長方形状の板材からなり、その中央部１０ａに検体が塗抹される。また、標本プレート１０の上部には、検体情報（検体番号、日付、受付番号、氏名、検体の情報を示すバーコード等）１０ｂが印刷される。
【００３０】
また、作製された標本プレート１０は、カセット１１に収納された状態で、次の標本搬送装置３に供給される。標本作製装置２の左側の後部には、標本搬送装置３に標本プレート１０入りのカセット１１を供給するカセット供給部２ａが設けられている。また、標本作製装置２における各機構部の動作は制御部２ｂによって制御される。制御部２ｂは、ＣＰＵや記憶部等を備え、通信部２ｃを介して他の機器と通信可能に接続される。
【００３１】
標本プレート１０を収納するカセット１１は、正面視で略Ｔ字状に形成された扁平なケースとされている。カセット１１の上端部中央には、標本プレート１０を挿入するための挿入口１１ａが形成されている。この挿入口１１ａに挿入された標本プレート１０は、その上部の検体情報１０ｂが外部に露出するようにカセット１１から突出する。また、カセット１１の上部には、左右両側に突出するように鍔部１１ｂが形成されている。
【００３２】
標本搬送装置３は、標本作製装置２から受け取った標本プレート１０（カセット１１）を、隣接する標本撮像装置４に搬送する機能を有する。具体的には、カセット１１から標本プレート１０を取り出し、所定の経路を経て標本撮像装置４に標本プレート１０を搬送する。また、標本搬送装置３は、標本撮像装置４において撮像が終了した後の標本プレート１０を回収し、所定の収納具（回収箱）１２に収納する機能（標本収納装置としての機能）をも有している。標本搬送装置３における各機構部（後述する標本収納装置２０、標本移動機構２１〜２３等）の動作は制御部３ｂによって制御される。この制御部３ｂは、ＣＰＵや記憶部等を備え、標本作製装置２の制御部２ｂと通信部３ｃ，２ｃを介して接続されており、相互に連携した動作を行うために情報の送受信が可能となっている。この標本搬送装置３の詳細な説明については後述する。
【００３３】
標本撮像装置４は、標本搬送装置３から受け取った標本プレート１０を撮像部４ａに搬送し、この撮像部４ａにおいて検体の撮像を行う。撮像された画像データは制御部４ｂに送信される。制御部４ｂは、ＣＰＵや記憶部等を備えており、画像データをもとに細胞の特徴抽出処理や識別分類処理等の所定の処理を実行する。したがって、撮像部４ａ及び制御部４ｂは、本発明における検査部を構成する。撮像した画像データや分析結果は、表示モニター４ｄに表示したり、図示しないプリンタ等を介して出力したりすることができる。また、制御部４ｂは、標本搬送装置３の制御部３ｂと通信部４ｃ，３ｃを介して接続されており、相互に連携した動作を行うために情報の送受信が可能となっている。なお、標本撮像装置４の制御部４ｂは、分析に関わる処理を行う部分が、パーソナルコンピュータ等の単独の制御装置により構成されていてもよい。
【００３４】
［標本搬送装置３の構成］
次に、標本搬送装置３について詳細に説明する。
図１に示されるように、本実施の形態の標本搬送装置３は、標本移動機構２１〜２３と、標本収納装置２０とに大別される。さらに標本移動機構は、カセット移動機構２１と、上下移動機構２２と、水平移動機構２３とから構成されている。
【００３５】
また、標本収納装置２０は、ラック移動機構２４と、ラック貯留部７５とから構成されている。
そして、標本プレート１０は、標本移動機構２１〜２３によって標本撮像装置４にまで搬送され、標本撮像装置４に引き渡される。また、標本撮像装置４において撮像が終了した後の標本プレート１０は、水平移動機構２３、上下移動機構２２、及びラック移動機構２４によって、所定のラック１２（収納具）に収納され、その後、ラック１２ごと標本搬送装置３から回収可能な状態とされる。なお、標本収納装置２０のラック移動機構２４と、標本移動機構２１〜２３とによって、本発明の標本収納部が構成されている。
【００３６】
［カセット移動機構２１の構成］
カセット移動機構２１は、標本作製装置２のカセット供給部２ａから供給された標本プレート１０入りのカセット１１を受け入れて貯留する標本受入部２６と、標本プレート１０を取り出したカセット１１を回収するカセット回収部２７と、カセット１１を左右方向に移動させる横移動部２８とを有している。
【００３７】
標本受入部２６は、標本プレート１０入りのカセット１１を前後方向に多数並べた状態で収納することができる。標本受入部２６には、例えば９０個のカセット１１を収容することができる。標本受入部２６は、前後方向に延びるベルトコンベア（縦移動部）２６ａを左右一対備えている。カセット１１は、左右のベルトコンベア２６ａ上に鍔部１１ｂ（図２参照）を載せることによって保持され、このベルトコンベア２６ａを回送させることによって前方へ移動する。
【００３８】
カセット回収部２７は、標本受入部２６の左側に隣接して配置され、標本プレート１０が抜き取られたカセット１１を前後方向に多数並べた状態で収納することができる。カセット回収部２７には、例えば標本受入部２６と同数の９０個のカセット１１を収納することができる。また、カセット回収部２７は、前後方向に延びるベルトコンベア（縦移動部）２７ａを左右一対備えている。カセット１１は、左右のベルトコンベア２７ａ上に鍔部１１ｂ（図２参照）を載せることによって保持され、ベルトコンベア２７ａを回送させることによって後方へ移動する。
【００３９】
横移動部２８は、標本受入部２６及びカセット回収部２７の前端部に設けられている。そして、横移動部２８は、標本受入部２６の前端にあるカセット１１を保持して左右方向に移動させる。この左右方向の移動の過程で、カセット１１から標本プレート１０が取り出され、空になったカセット１１がカセット回収部２７に回収されるようになっている。
具体的には、図３に示されるように、横移動部２８は、標本受入部２６の前端にあるカセット１１を取り出して保持し、左方向（矢印ｘ１）に搬送する（図３（ａ）参照）。そしてカセット１１は、カセット移動機構２１の前端部の左側に設定された所定の標本受け渡し位置Ｗに位置付けられる。この標本受け渡し位置Ｗでは、後述する上下移動機構２２の把持部３１が上方（上段位置Ｈ）で待機している。把持部３１は、下方（矢印ｚ１）の中段位置Ｍへ移動して標本プレート１０を把持し、その後、上方（矢印ｚ２）へ戻ることによって標本プレート１０をカセット１１から抜き取る（図３（ｂ），（ｃ）参照）。
【００４０】
横移動部２８は、標本プレート１０が抜き取られたカセット１１を右方向（矢印ｘ２）に移動し、カセット回収部２７の前端部に位置付け、カセット回収部２７の前端部にカセット１１を受け渡す。カセット回収部２７は、受け渡された空のカセット１１をベルトコンベア２７ａによって後方へ移動し、次の受入まで待機する。また、横移動部２８は、再び標本受入部２６から次のカセット１１を受け取り、上記の動作を繰り返し行う。
【００４１】
本実施の形態のカセット移動機構２１は、標本受入部２６、横移動部２８、カセット回収部２７のいずれにおいてもカセット１１を起立させた姿勢のまま移動させている。そのため、カセット１１の姿勢を変更させるような複雑な機構を必要とせず、構造の簡素化を図ることができる。
なお、横移動部２８によってカセット１１を保持する形態としては、カセット１１の下面や鍔部１１ｂを下から支持する形態や、カセット１１をクランプ部材等によって挟持する形態、吸盤等によって吸着する形態等の種々の形態を採用することができる。また、保持したカセット１１を左右方向に移動させるには、ベルトコンベアやチェーン等の巻掛搬送機構や、流体圧シリンダ等の伸縮動作機構等を採用することができる。
【００４２】
［上下移動機構２２の構成］
図４は、標本搬送装置３における上下移動機構２２を示す概略側面図である。
上下移動機構２２は、標本プレート１０を把持する把持部（保持部）３１と、この把持部３１を上下昇降させる上下移動部３２とを有している。把持部３１は、前後一対の把持爪３３と、この把持爪３３を前後に開閉させる開閉機構３４とを備えている。そして、把持爪３３を前後に開閉させることによって標本プレート１０の把持（保持）と開放とを行うことが可能となっている。また、把持部３１は、上下移動機構２２の支持フレーム３５によって上下方向に移動可能に支持されている。支持フレーム３５は、上下方向に延びるとともに、把持部３１の上下移動を案内するガイドレール３６を備えている。
【００４３】
図５は、把持爪３３の開閉動作を説明する概略底面図であり、図５（ａ）は把持爪３３が閉じた状態、図５（ｂ）は把持爪３３が開いた状態を示している。一方の把持爪３３には、左右に並べて設けられた２つの突起３３ａが設けられている。また、他方の把持爪３３には、２つの突起３３ａの間に相当する位置に１つの突起３３ｂが設けられている。そして、把持爪３３は、３つの突起３３ａ，３３ｂによって３点で標本プレート１０を挟み、把持するようになっている。これらの突起３３ａ，３３ｂは、ゴム等の弾性材料により形成される。または、一方の把持爪３３の突起３３ａは、円すい形状に形成され、他方の把持爪３３の突起は直方体又は立方体形状に形成されている。突起３３ａを円すい形状にすることで標本プレート１０に対する接触面積を小さくし、把持圧を高めることができる。
【００４４】
開閉機構３４は、駆動モータ３７と、この駆動モータ３７の出力軸３７ａに連結された操作棒３８と、この操作棒３８の各端部にピン３８ａを介して連結された一対の操作部材３９と、引っ張りコイルバネからなる付勢部材４０と、を備えている。駆動モータ３７は、把持部３１の固定フレーム４１に固定されている。操作部材３９は、それぞれ一対の把持爪３３に連結され、把持爪３３とともに前後方向に移動可能な状態で固定フレーム４１に支持されている。また、操作部材３９には左右方向に長い長孔３９ａが形成され、この長孔３９ａにピン３８ａが係合している。付勢部材４０は、前側の把持爪３３及び操作部材３９を後方へ付勢し、後側の把持爪３３と操作部材３９とを前方へ付勢する。
【００４５】
したがって、一対の把持爪３３は、付勢部材４０によって互いに接近する方向へ付勢され、この付勢力によって標本プレート１０を把持可能となっている。また、駆動モータ３７によって操作棒３８を回動させると、一対の把持爪３３及び操作部材３９が相互に離れる方向に移動し、一対の把持爪３３を開放することができる。このように付勢部材４０の付勢力によって標本プレート１０を把持することにより、標本プレート１０を把持している最中に駆動モータ３７への通電が途絶えたとしても標本プレート１０を落下させることなく把持し続けることができる。
【００４６】
図４に示されるように、上下移動部３２は、上下方向に延びるベルトコンベアからなり、このベルトコンベア３２は、支持フレーム３５に設けられた上下一対のプーリ４３と、両プーリ４３に巻き掛けられたベルト４４と、一方のプーリ４３を回転駆動する駆動モータ４５とを備えている。ベルト４４には、把持部３１が連結されている。そして、駆動モータ４５によってベルト４４を回送させることで把持部３１を上下方向に移動させることができる。なお、上下移動部３２は、ベルトコンベアに限らず、チェーン搬送機構や流体圧シリンダ等の伸縮動作機構等の他の構成を採用することもできる。
【００４７】
上下移動機構２２は、把持部３１によって把持した標本プレート１０を、前述の標本受け渡し位置Ｗで上下方向に移動し、当該標本プレート１０を上段位置Ｈ、中段位置Ｍ、及び下段位置Ｌの少なくとも３つの高さに位置付ける。前述のカセット移動機構２１は、中段位置Ｍに配置されており、カセット移動機構２１によって搬送されるカセット１１内の標本プレート１０を把持部３１で把持した状態で上段位置Ｈに移動させることで当該標本プレート１０をカセット１１から抜き取るようになっている。また、後で説明する水平移動機構２３は下段位置Ｌに配置され、標本収納装置２０は中段位置Ｍに配置されており、上下移動機構２２は、これらの機構２３、装置２０との間でも標本プレート１０の受け渡しが可能となっている。
【００４８】
以上のように、上下移動機構２２は、標本受け渡し位置Ｗにおいて標本プレート１０を上下方向に移動させるだけで前後左右には移動させない。したがって、カセット１１からの標本プレート１０の取り出しや、後述する水平移動機構２３に対する標本プレート１０の受け渡し、ラック移動機構２４によって搬送されるラック１２への標本プレート１０の引き渡しは、全て標本プレート１０の上下移動によって行われる。そのため、上下移動機構２２の構成を簡素化することができるとともに、保護されていない（覆われていない）状態の標本プレート１０の移動距離（移動範囲）を可及的に短くすることが可能となっている。
【００４９】
［水平移動機構２３の構成］
図１に示されるように、水平移動機構２３は、標本受け渡し位置Ｗと、標本撮像装置４の標本受渡部４ｅとの間で標本プレート１０を左右方向に移動させるものである。
水平移動機構２３は、標本受け渡し位置Ｗにおいて把持部３１から標本プレート１０を受け取って標本撮像装置４の標本受渡部４ｅ（図１参照）へ向けて左方向へ移動させ、撮像済みの標本プレート１０を標本受渡部４ｅから受け取って標本受け渡し位置Ｗに向けて右方向へ移動させる搬送ユニット５０を備えている。
【００５０】
図６は、水平移動機構２３の搬送ユニット５０を示す平面図、図７は、図６のVII−VII矢視断面図、図８は、図６のVIII−VIII矢視断面図であって、標本プレート１０の位置決め機構の作用を示す説明図である。
搬送ユニット５０は、基台５１と、搬送ケース５２と、横移動部５３とを有している。基台５１は、標本搬送装置３の装置フレームによって図１に示される標本受け渡し位置Ｗと標本撮像装置４における標本受渡部４ｅとの間を左右方向に移動可能に支持されている。横移動部５３は、ベルトコンベアからなり、左右一対のプーリ５４に巻き掛けられたベルト５５と、一方のプーリ５４を駆動する駆動モータ５６等からなる。また、基台５１の上部には左右一対の支持片５１ａが設けられ、この支持片５１ａに左右方向の軸心を有する支軸５７が架設されている。
【００５１】
搬送ケース５２は、第１壁部材５８と、第２壁部材５９と、仕切り部材６０とを有している。第１壁部材５８は、図７及び図８に示されるように、断面コの字状に屈曲されており、左右の側壁部５８ａ，５８ｂと、上壁部５８ｃとを有している。一方、第２壁部材５９は、上壁部５８ｃの下方で対向する下壁部５９ａを有している。下壁部５９ａの左右中央には仕切り部材６０が設けられている。また、第１壁部材５８の前端部には、下方に屈曲する底壁部５８ｄが設けられている。したがって、搬送ケース５２には、第１壁部材５８、第２壁部材５９、及び仕切り部材６０によって囲まれるとともに、後方に開放した２つのスペース６１，６２が左右に並べて形成されている。これらのスペースは、標本プレート１０を収容可能な収容部を構成している。
【００５２】
搬送ケース５２に形成された収容部６１，６２は、撮像前の標本プレート１０を収容する第１収容部６１と、撮像済みの標本プレート１０を収容する第２収容部６２とからなっている。また、標本プレート１０は、第１、第２収容部６１，６２に収容されることによって、検体塗抹１０ａ部分を含む大部分が搬送ケース５２に覆われ、検体情報１０ｂを印刷した部分が搬送ケース５２から突出した状態となる。また、図６に示されるように、第２壁部材５９における側壁部５８ａ，５８ｂ及び上壁部５８ｃと、底壁部５８ｄとの境界部分には、切り欠き６３が形成されている。この切り欠き６３は、後述するようにイマージョンオイル等の付着物を滴下させるための開口部として機能する。
【００５３】
搬送ケース５２の第１壁部材５８と第２壁部材５９とは左右方向に相対移動可能に連結されている。このため、図８（ａ）に示されるように、第１収容部６１の左右幅ｗ１が小さく、第２収容部６２の左右幅ｗ２が大きい状態と、図８（ｂ）に示されるように、第１収容部６１の左右幅が大きく、第２収容部６２の左右幅が小さい状態とに寸法調整が可能である。そして、第１，第２収容部６１，６２の左右幅ｗ１，ｗ２が小さい状態では、標本プレート１０と、左右側壁部５８ａ，５８ｂ及び仕切り部材６０との間の隙間が小さくなり、標本プレート１０の左右方向のがたつきが抑制される。また、第１，第２収容部６１，６２の左右幅ｗ１，ｗ２が広い状態では、標本プレート１０と左右側壁部５８ａ，５８ｂ及び仕切り部材６０との間の隙間が大きくなり、各収容部６１，６２に対する標本プレート１０の挿入が容易になる。なお、第１，第２収容部６１，６２の左右幅ｗ１，ｗ２の調整方法については後述する。
【００５４】
図６及び図７に示されるように、第１壁部材５８における左右側壁部５８ａ，５８ｂの下端部には、左右方向に延びる脚部材６４が架設されている。また、第２壁部材５９の左右両側には前方に延びる連結腕５９ｂが設けられている。連結腕５９ｂの先端部は、支軸５７に回動自在に連結されている。したがって、搬送ケース５２は、支軸５７を中心として上下（前後）に揺動可能であり、この揺動によって、第１，第２収容部６１，６２の開口を後方に向けた水平姿勢（基準姿勢）と、当該開口を上方に向けた起立姿勢とに姿勢変更可能である。
【００５５】
また、搬送ユニット５０の搬送ケース５２は、姿勢変更機構６５によって姿勢変更される。この姿勢変更機構６５は、標本受け渡し位置Ｗに位置している搬送ユニット５０の搬送ケース５２の下側に挿入される操作バー６５ａと、この操作バー６５ａを上下に移動させる駆動部６５ｂ（図９参照）とを備えている。駆動部６５ｂは、駆動モータとリンク部材等から構成することができる。そして、駆動部６５ｂによって操作バー６５ａを移動させると、搬送ケース５２が支軸５７を支点に上下に揺動し、水平姿勢と起立姿勢とのいずれかの姿勢をとる。なお、支軸５７にはねじりコイルバネからなる付勢部材６６が装着されており、この付勢部材６６によって搬送ケース５２は下方へ揺動する方向（水平姿勢となる方向）へ付勢されている。また、図７に示されるように、基台５１の後部には磁石（吸着部材）６７ａを備えた支持部６７が設けられており、搬送ケース５２が水平姿勢となると、第１壁部材５８に連結された脚部材６４が支持部６７上に載置され、磁石６７ａに吸着される。これにより、搬送ケース５２が振動等によって浮き上がらないように水平姿勢に保持される。
【００５６】
図３を参照して説明したように、上下移動機構２２によってカセット１１から抜き取られた標本プレート１０は、把持部３１に把持された状態で標本受け渡し位置Ｗの上段位置Ｈに位置している。そして、図４に示されるように、当該標本プレート１０は、標本受け渡し位置Ｗの下段位置Ｌにある搬送ユニット５０の搬送ケース５２に受け渡される。このとき、搬送ケース５２は、姿勢変更機構６５によって起立姿勢とされ、標本プレート１０は、把持部３１が下降することによって搬送ケース５２の第１収容部６１に挿入される。
【００５７】
図９及び図１０は、水平移動機構２３の動作を説明する概略平面図である。
図９に示されるように、標本受け渡し位置Ｗにおいて搬送ユニット５０の搬送ケース５２に標本プレート１０が挿入され、搬送ケース５２が姿勢変更機構６５によって水平姿勢に姿勢変更されると、横移動部５３（図６参照）が作動して搬送ケース５２を左方向（矢印ｘ４）へ移動させる。これにより、搬送ケース５２は、標本撮像装置４の標本受渡部４ｅに位置付けられる（図９（ａ）参照）。
【００５８】
標本撮像装置４は、標本プレート１０を移動させるための搬送部４ｆを備えており、この搬送部４ｆが、標本受渡部４ｅまで移動した搬送ケース５２から標本プレート１０を取り出す（図９（ｂ）参照）。取り出された標本プレート１０は、搬送部４ｆによって撮像部４ａ（図１参照）にまで搬送され、この撮像部４ａにおいて検体の画像が撮像され、分析に供される。撮像済み（検査済み）の標本プレート１０は、搬送部４ｆによって標本受渡部４ｅに戻され、待機している搬送ケース５２に戻される。
【００５９】
このとき、撮像済みの標本プレート１０は、搬送ケース５２の第２収容部６２に挿入される（図９（ｃ）参照）。そして、搬送ケース５２は、右方向（矢印ｘ６）に搬送され（図１０（ａ）参照）、再びに標本受け渡し位置Ｗに位置付けられる。その後、搬送ユニット５０の搬送ケース５２が姿勢変更機構６５によって水平姿勢から起立姿勢に姿勢変更される（図９（ｂ）参照）。
【００６０】
なお、前述した水平移動機構２３の動作において、標本撮像装置４に搬送した標本プレート１０に対し分析が行われている間に、次に分析を行う標本プレート１０が上下移動機構２２に供給されている場合には、搬送ケース５２は標本受渡部４ｅから標本受け渡し位置Ｗに移動し、次に分析を行う標本プレート１０を搬送ケース５２の第１収容部６１に収容する。続いて、横移動部５３の動作により搬送ケース５２を標本撮像装置４の標本受渡部４ｅに位置付け、搬送部４ｆは次に分析を行う標本プレート１０を第１収容部６１から取り出す。そして、前回搬送され標本撮像装置４による撮像が完了した標本プレート１０を、搬送ケース５２の第２収容部６２に収容する。このように水平移動機構２３を動作させることにより、次に撮像を行う標本プレート１０を搬送ケース５２から取り出す動作および撮像済みの標本プレート１０を搬送ケース５２に戻す動作は、標本受渡部４ｅにおいて併せて行われることとなる。これにより、効率的な標本プレート１０の搬送が可能となり、標本搬送装置３および標本検査システム１の処理能力を向上させることができる。
【００６１】
以上のように標本搬送装置３の水平移動機構２３は、カセット１１から取り出した標本プレート１０を搬送ケース５２内に収容した状態で標本撮像装置４まで搬送する。そのため、カセット１１から取り出した標本プレート１０は搬送ケース５２に覆われた状態となり、搬送中のゴミ等の付着が防止される。また、水平移動機構２３の搬送ケース５２は、撮像前の標本プレート１０を収容する第１収容部６１と、撮像済みの標本プレート１０を収容する第２収容部６２とを別個に備えている。そのため、撮像中に標本プレート１０に付着したイマージョンオイル等の液体は、第２収容部６２内に付着することはあっても第１収容部６１に付着することはない。そのため、撮像前の標本プレート１０に前記液体が付着するのを防止することができる。
【００６２】
また、搬送ケース５２の底壁部５８ｄには開口部（切り欠き６３；図６参照）が形成されているので、撮像済みの標本プレート１０を標本受け渡し位置Ｗに搬送し、搬送ケース５２を起立状態としたときに、標本プレート１０に付着した液体は開口部を介して下方に滴下し、搬送ケース５２外へ排出される。また、図７、図９、及び図１０に示されるように、標本受け渡し位置Ｗの下部には、液体受けトレー６８が設けられており、搬送ケース５２から滴下した液体を受けることによって、当該液体が標本搬送装置３内の他の部品等に付着するのを防止することができる。なお、液体受けトレー６８は、標本搬送装置３の装置フレームから着脱することが可能であり、取り外すことによって液体受けトレー６８上に貯留された液体を容易に廃棄し、液体受けトレー６８を容易に洗浄することができる。また、図９及び図１０に示されるように、搬送ケース５２の移動経路の下方には、液体受け板６９が設けられており、移動中の搬送ケース５２から滴下した液体を液体受け板６９によって受けることができるようになっている。
【００６３】
搬送ケース５２は、２枚の標本プレート１０を左右に並べた状態で収容することができるので、その構造を可及的に小型化することができる。また、搬送ケース５２が水平姿勢とされた場合には、各収容部６１，６２内に収容される標本プレート１０の高さを同一とすることができ、標本撮像装置４の搬送部４ｆによる撮像前及び撮像済みの標本プレート１０の受け渡し高さを一定にすることができる。さらに、搬送ケース５２が起立姿勢とされた場合には、各収容部６１，６２内に収容される標本プレート１０の前後位置を同一とすることができるので、上下移動機構２２の把持部３１による標本受け渡しの前後位置を一定とすることができる。
【００６４】
図４に示されるように、上下移動機構２２によって搬送ケース５２の第１収容部６１に標本プレート１０が挿入されるとき、第１収容部６１の左右幅は広い状態（図８（ｂ）参照）とされる。そのため、第１収容部６１に対して標本プレート１０を衝突させることなく余裕を持って挿入することができる。しかしながら、その状態のまま搬送ケース５２を標本撮像装置４にまで搬送すると、第１収容部６１内で標本プレート１０ががたつき、その後の標本プレート１０の受け渡しに支障が生じる可能性がある。そのため、本実施の形態では、図９（ａ）に示されるように、標本プレート１０を標本撮像装置４に搬送する前に、一旦、搬送ケース５２を右方向（矢印ｘ３）に移動させ、搬送ケース５２を装置フレームの壁７１に当接させる。より詳しくは、図８（ａ）に示されるように、脚部材６４を壁７１に当接させることで、第２壁部材５９に相対して第１壁部材５８を同図における右側に移動させる。これにより第１収容部６１の左右幅ｗ１を小さくし、標本プレート１０のがたつきを無くすことができる。このとき、第２収容部６２の左右幅ｗ２は相対的に大きくなる。
【００６５】
逆に、撮像済みの標本プレート１０は、標本撮像装置４の標本受渡部４ｅにおいて搬送部４ｆによって搬送ユニット５０における第２収容部６２に挿入される。このとき、第２収容部６２の左右幅ｗ２が大きい状態とされるので、当該第２収容部６２に対して撮像済みの標本プレート１０を衝突させることなく余裕を持って挿入することができる。しかし、そのまま撮像済み１０の標本プレート１０を標本受け渡し位置Ｗにまで搬送すると標本プレート１０にがたつきが生じる可能性がある。そのため、本実施の形態では、当該標本プレート１０を標本受け渡し位置Ｗに搬送する前に、一旦、図１０（ａ）に示す左方向（矢印ｘ５方向）に搬送ケース５２を移動させ、装置フレームの壁７２に当接させる。より詳しくは、図８（ｂ）に示されるように、脚部材６４を壁７２に当接させることで、第２壁部材５９に相対して第１壁部材５８を同図における左側に移動させる。これにより、第２収容部６２の左右幅ｗ２を小さくし、標本プレート１０のがたつきをなくすことができる。
【００６６】
［標本収納装置２０の構成］
標本収納装置２０（ラック移動機構２４，貯留部７５）は、上述のように水平移動機構２３によって標本受け渡し位置Ｗに搬送された撮像済みの標本プレート１０を所定のラック１２に収納するためのものである。ラック１２は、図１１〜図１４に示されるように、平面視で長方形状の底壁１３ａと、この底壁１３ａの各辺から上方に立ち上がる４つの側壁１３ｂ，１３ｃとを有しており、上方が開口した形状とされている。そして、このラック１２の内部には、合計１２枚の標本プレート１０を収納することができる。具体的に、このラック１２は、複数の標本プレート１０を略垂直に起立した姿勢で、底壁１３ａの長手方向に沿って並べて収納することができる。
【００６７】
ラック１２の内部には、標本プレート１０を収納するための収納スペースが前後方向に複数設けられている。具体的には、ラック１２の左右側壁１３ｂの内側には、上下方向に延びる凹溝（支持部）１４が前後に複数形成されている。この凹溝１４に標本プレート１０の両側部を嵌合させることによって、標本プレート１０が起立した姿勢に支持されるとともに、複数の標本プレート１０が、相互に接触することなく間隔をあけた状態で収納される。また、凹溝１４は、上方ほど幅が広くなるように形成されている。そのため、標本プレート１０を凹溝１４に嵌合させるときに、凹溝１４間の突出部分に標本プレート１０が衝突しにくくなり、標本プレート１０を凹溝１４の下側まで挿入することによってがたつきを抑制することができる。
【００６８】
また、標本プレート１０は立てた状態で収納されるので、撮像の際に付着したイマージョンオイル等の液体は下方に流れ、ラック１２の底壁１３ａに溜められる。そのため、当該液体が外部にこぼれ出たり、ラック１２の移動領域等を汚したりすることがない。また、左右側壁１３ｂの下端辺には、凹部１３ｄが形成され、この凹部１３ｄによって、後述する貯留部７５の底板８０に対する接触面積が減少している。そのため、ラック１２が底板８０上を滑って移動する際の抵抗が低減される。
【００６９】
ラック１２の前後側壁１３ｃの上端部には、下方に屈曲するフック部１５が形成されている。また、ラック１２は、図１２の平面視において、前後中心線Ｏ１を通る垂直面に関して面対称に形成され、左右中心線Ｏ２を通る垂直面に関して面対称に形成されている。言い換えると、平面視におけるラック１２の中央線Ｃに関して回転対称（２回対称）に形成されている。したがって、標本搬送装置３の貯留部７５に対してラック１２をセットするときには、前後方向の向きを気にすることなくセットすることが可能となっている。
【００７０】
また、図１３に示されるように、ラック１２の前後側壁１３ｃにおける下端部の左右両側には凹部１７が形成されている。そして、左右両側の凹部１７の間の部分は、後述する貯留部７５内の所定位置（取り出し回収位置Ｒ）にラック１２が存在するか否かを検出するためのセンサ（検知部）によって検知される被検知部１６とされている。
【００７１】
図１に示されるように、標本収納装置２０は、複数のラック１２を左右方向に並べて貯留することができる貯留部７５と、貯留部７５の内外においてラック１２を水平方向に移動させるラック移動機構２４とを有している。また、ラック移動機構２４は、ラック１２を左右方向に移動させる横移動部７６（図１５参照）と、貯留部７５内の所定位置Ｒからラック１２を前後方向に移動させる縦移動部７７とを有している。貯留部７５は、標本受け渡し位置Ｗの前側に配置され、縦移動部７７は、標本受け渡し位置Ｗを前後に横切るように設けられる。
【００７２】
図１５は、ラック移動機構２４を側方から見た断面説明図、図１６及び図１７は、ラック移動機構２４を正面から見た断面説明図である。
貯留部７５は、平面視で左右方向に長い長方形状に形成された底板８０と、底板の４辺から立ち上がる前後板８１，８２、左右板８３とを有している。そして、底板８０上に複数のラック１２を載置することによってこれらを貯留することができる。そして、本実施の形態の貯留部７５は、左右方向の中央部に、ラック１２の取り出し回収位置Ｒが設定されている。この取り出し回収位置Ｒにおいて、貯留部７５からラック１２が取り出され、ラック１２に対して標本プレート１０が収納される。また、標本プレート１０の収納が完了したラック１２は、再び取り出し回収位置Ｒに戻される。
【００７３】
また、貯留部７５における取り出し回収位置Ｒの右側には、標本プレート１０を収納していない空のラック１２を貯留する前段貯留部７５Ａが設けられ、取り出し回収位置Ｒの左側には、使用済みの標本プレート１０を収納したラック１２を貯留する後段貯留部７５Ｂが設けられている。
図１６に示されるように、貯留部７５の後板８２は、前段貯留部７５Ａと後段貯留部７５Ｂの部分のみに形成され、取り出し回収位置Ｒには設けられていない。そのため、取り出し回収位置Ｒに配置されたラック１２は後方へ引き出すことができる。また、図１５に示されるように、後板８２の上端部には、前段貯留部７５Ａ及び後段貯留部７５Ｂに収納されたラック１２の後側のフック部１５が係合されるようになっている。これにより、貯留部７５Ａ，７５Ｂ内のラック１２の左右方向の転倒が防止される。したがって、ラック１２に形成されたフック部１５や、貯留部７５Ａ，７５Ｂの後板８２は、ラック１２の転倒を防止する転倒防止手段として機能としている。
【００７４】
横移動部７６は、貯留部７５内のラック１２を右から左へ移動させるように構成されている。すなわち、横移動部７６は、前段貯留部７５Ａから取り出し回収位置Ｒを経て後段貯留部７５Ｂにラック１２を移動させる。より具体的には、横移動部７６は、前段貯留部７５Ａに収納された複数のラック１２のうち最も右側（搬送方向後部側）のものに係合するプッシャー部材８５と、このプッシャー部材８５を左右方向に移動させる駆動部８６とを有している。
【００７５】
プッシャー部材８５は、図１５に示されるように、前後一対設けられており、それぞれラック１２の前端部及び後端部に係合可能である。前後一対のプッシャー部材８５は、貯留部７５の下方において連結部材８７により連結されており、この連結部材８７は、左右方向に延びるガイドレール８８によって、左右方向の移動が案内されている。
図１６及び図１７に示されるように、駆動部８６は、ベルトコンベアにより構成されている。具体的には、左右一対のプーリ８６ａと、両プーリ８６ａに巻き掛けられたベルト８６ｂと、一方のプーリ８６ａを駆動する駆動モータ８６ｃとを有している。ベルト８６ｂには連結部材８７が連結されている。
【００７６】
そして、駆動モータ８６ｃの作動によってベルト８６ｂを回送させると、連結部材８７を介してプッシャー部材８５が左右方向に移動する。そして、プッシャー部材８５を最も右側のラック１２に係合させて、左方向に移動させることで、貯留部７５上の全てのラック１２を左方向に移動させることができる。なお、図１６に示されるように、プッシャー部材８５は、前段貯留部７５Ａの右端部が初期位置とされ、この初期位置から左方向に移動することによってラック１２を移動させる。
【００７７】
横移動部７６によって、取り出し回収位置Ｒに移動したラック１２は、後述する縦移動部７７によって貯留部７５上から取り出されるが、この際に、取り出し回収位置Ｒ以外に存在するラック１２が、誤って取り出し回収位置Ｒに侵入しないようにその移動を阻止するストッパ機構（移動阻止機構）７８が設けられている。
このストッパ機構７８は、図１６及び図１７に示されるように、取り出し回収位置Ｒの左右両側において、貯留部７５の底板８０上に突出してラック１２に作用する移動阻止部材９０と、この移動阻止部材９０が底板８０上から突出する作用状態と、底板８０の下方に退避する非作用状態とに切り替える切替部９１とを備えている。図１５に示されるように、移動阻止部材９０は、取り出し回収位置Ｒの左右それぞれにおいて前後に２つ設けられている。
【００７８】
移動阻止部材９０は、それぞれ底板８０の下方において前後方向の支軸９０ａ回りに回動可能に取り付けられている。そして、左右に対向する移動阻止部材９０同士は、リンク部材９０ｂによって連結され、連動して揺動するようになっている。具体的には、左右の移動阻止部材９０は、互いに近づく方向へ揺動することによって底板８０上から退避し、互いに離れる方向へ揺動することによって底板８０上に突出する。
【００７９】
切替部９１は、右側の移動阻止部材９０の下端部に一端が連結された駆動リンク９１ａと、この駆動リンク９１ａの他端に一端部が連結された連動リンク９１ｂとを備えている。連動リンク９１ｂは、中央部が前後方向の支軸９１ｃ回りに回動可能に取り付けられ、上端部に駆動リンク９１ａが連結されている。また、連動リンク９１ｂの下端部には、横移動部７６の連結部材８７とともに移動する係合部材８７ａが係合している。また、連動リンク９１ｂは、図示しない付勢部材によって時計方向へ付勢されている。
【００８０】
したがって、ストッパ機構７８は、横移動部７６の動作に連動して動作する。具体的には、図１６に示されるように、プッシャー部材８５が右端の初期位置にあるときは、係合部材８７ａが連動リンク９１ｂに係合し、移動阻止部材９０が底板８０から突出した作用状態となる。この状態では、前段貯留部７５Ａ及び後段貯留部７５Ｂにあるラック１２は、取り出し回収位置Ｒに侵入できない。また、プッシャー部材８５が初期位置にあるので、ラック１２が取り出し回収位置Ｒに移動することもない。
【００８１】
そして、図１７に示されるように、プッシャー部材８５が初期位置から左方向に移動して、ラック１２を押動しようとすると、係合部材８７ａが連動リンク９１ｂから外れ、駆動リンク９１ａを介して移動阻止部材９０が非作用状態となる。したがって、プッシャー部材８５によって押されたラック１２は、移動阻止部材９０に妨げられることなく貯留部７５内を移動することができる。
【００８２】
このようにストッパ機構７８（移動阻止部材９０）は、横移動部７６と連動して動作し、横移動部７６の駆動部８６と同一の駆動部によって駆動される。したがって、これらを別々の駆動部によって駆動する場合に比べて構造の簡素化を図ることができる。
【００８３】
図２１は、ラック移動機構２４の縦移動部７７（後退状態）を示す側面説明図、図２２は、ラック移動機構２４の縦移動部７７（前進状態）を示す側面説明図である。
縦移動部７７は、横移動部７６によって、取り出し回収位置Ｒにあるラック１２を後方へ移動させることで貯留部７５から取り出し、当該ラック１２を標本プレート１０の収納位置（前述の標本受け渡し位置Ｗ）に移動させ、標本プレート１０を収納した後のラック１２を再び貯留部７５に戻す機能を有している。
【００８４】
縦移動部７７は、ラック１２を支持する支持部９２と、支持部９２を前後方向に移動させる駆動部９４とを有している。支持部９２は、ラック１２の後側のフック部１５に係合する係合爪９３と、係合爪９３に係合されたラック１２の姿勢を保持する姿勢保持具９５と、係合爪９３及び姿勢保持具９５を前端に取り付けた移動部材９６とを備えている。
移動部材９６は、前後方向に長く形成された長尺の部材であり、ガイド部９７によって前後方向に移動可能に支持されている。
【００８５】
駆動部９４は、ベルトコンベアからなり、前後一対のプーリ９４ａと、両プーリ９４ａに巻き掛けられたベルト９４ｂと、一方のプーリ９４ａを駆動する駆動モータ９４ｃとを備えている。ベルト９４ｂには、移動部材９６の後端部が連結されている。したがって、駆動モータ９４ｃの作動によって移動部材９６を介して係合爪９３及び姿勢保持具９５を前後方向に移動させることができる。なお、図２１に示される係合爪９３の位置は、最も後退した初期位置とされる。
【００８６】
係合爪９３は、ラック１２の後側のフック部１５に係合することによってラック１２を持ち上げた状態で支持している。また、係合爪９３をフック部１５に係合させただけであると、ラック１２の前部側が下方に傾くので、姿勢保持具９５をラック１２の後側壁１３ｃに当接させることによってラック１２の姿勢を水平に保持している。姿勢保持具９５は、ラック１２に当接する保持具本体９５ａと、移動部材９６上に左右方向の支軸９５ｂ回りに揺動可能に設けられた操作部材９５ｃとを備えている。操作部材９５ｃは、係合爪９３との間に架設された引っ張りコイルバネよりなる付勢部材９５ｄによって、前方へ揺動するように付勢されている。
【００８７】
図２２は、縦移動部７７によって係合爪９３及び姿勢保持具９５を最も前方に進出させた状態を示している。このとき、係合爪９３は、貯留部７５の後板８２の上端部と左右方向に並ぶ位置に配置される。したがって、横移動部７６によって取り出し回収位置Ｒにラック１２が移動すると、その後側のフック部１５が自動的に係合爪９３に係合する。また、姿勢保持具９５の操作部材９５ｃは、貯留部７５の後上側に設けられた当接部９８に当接し、後方へ揺動した状態となっている。これにより、姿勢保持具９５の保持具本体９５ａは、ラック１２の横移動を妨げないようにラック１２の後側壁１３ｃから後退した状態となっている。また、移動部材９６の前端部下面には、ローラ９６ａが取り付けられており、このローラ９６ａは、貯留部７５の後下側に設けられた支持台９９上に載置される。これにより、移動部材９６の前端部が支持され、係合爪９３が適正な上下方向の位置に位置付けられる。
【００８８】
図１８〜図２０は、ラック移動機構２４の横移動部７６の動作を説明する概略平面図である。
図１８（ａ）は、前段貯留部７５Ａに５個の空のラック１２が貯留された状態を示している。前段貯留部７５Ａにラック１２があるか否かは、センサ１００によって検出することができる。このセンサ１００は、前段貯留部７５Ａを斜めに通過する光軸を有する一対の投受光器により構成されている。また、横移動部７６のプッシャー部材８５は、右端の初期位置に配置されている。また、後段貯留部７５Ｂにラック１２があるか否かは、センサ１０２によって検出することができる。このセンサ１０２は、後段貯留部７５Ｂの左端に設けられた反射型の投受光器により構成されている。そして、後段貯留部７５Ｂの左端にまでラック１２が搬送された場合、すなわち、後段貯留部７５Ｂが満杯の状態になった場合、左端のラック１２によって反射された光信号がセンサ１０２によって受光され、後段貯留部７５Ｂが満杯になったことを検知する。
【００８９】
図１８（ｂ）において、プッシャー部材８５が左方向に移動すると、前段貯留部７５Ａ内の全てのラック１２が左方向に押される。そして、最も左側のラック１２が取り出し回収位置Ｒに位置付けられると、プッシャー部材８５の動作が停止する。このとき、取り出し回収位置Ｒに位置付けられたラック１２のフック部１５（図２２参照）は、同位置Ｒで待機している縦移動部７７の係合爪９３に係合する。
【００９０】
取り出し回収位置Ｒにラック１２が位置付けられたか否かはセンサ１０１によって検出することができる。センサ１０１は、図１５に示されるように、貯留部７５の前板８１と底板８０とに形成された孔８１ａ，８０ａを通過する光軸１０１ａを有する一対の投受光器からなる。そして、このセンサ１０１は、ラック１２の前側壁１３ｃの下端部に形成された被検知部１６によって光軸１０１ａが遮られることによって、取り出し回収位置Ｒにラック１２が位置付けられたことを検出することができる。すなわち、図１３に示されるように、センサ１０１の光軸１０１ａが、左右に並ぶラック１２の凹部１７の範囲Ａ（非検知領域）にあるときは、ラック１２の存在が検出されず、被検知部１６の範囲Ｂ（検知領域）にあるときは、ラック１２の存在が検出される。このように複数のラック１２を左右に並べたとき検知領域Ｂと非検知領域Ａとが交互に配置されるので、各ラック１２を確実にセンサ１０１によって検知することができる。
【００９１】
その後、図１８（ｃ）に示されるように、縦移動部７７の係合爪９３が後方へ移動することによって、取り出し回収位置Ｒからラック１２が取り出される。そして、取り出されたラック１２には撮像済みの標本プレート１０が順次収納される。この動作の詳細については後述する。
図１９（ａ）に示されるように、プッシャー部材８５が右方向に移動し、初期位置に位置付けられると、移動阻止部材９０が貯留部７５の底板８０上に突出する。これによって、前段貯留部７５Ａに残っているラック１２が取り出し回収位置Ｒに侵入してしまうのを防止することができる。そして、図１９（ｂ）に示されるように、標本プレート１０を収納した後のラック１２が縦移動部７７によって前進し、取り出し回収位置Ｒに戻されるとき、プッシャー部材８５が少し左方向に移動し、移動阻止部材９０が底板８０の下方に退避する。本実施の形態において、移動阻止部材９０が底板８０上に突出しているときには、縦移動部７７は、ラックの取り出し回収位置Ｒへの移動を行なわない。
【００９２】
図１９（ａ）において、移動阻止部材９０が底板８０上に突出したとき、前段貯留部７５Ａのラック１２は、若干右方向に押し戻される。これは、図１６及び図１７に示されるように、右側の移動阻止部材９０が底板８０から突出するとき、右方向への移動を伴うからである。このように前段貯留部７５Ａのラック１２を右方向に押し戻すことで、取り出し回収位置Ｒのスペースをより広く確保し、標本プレート１０を収納した後のラック１２が取り出し回収位置Ｒに戻ってきたときに、貯留部７５内の他のラック１２に干渉するのを防止することができる。
【００９３】
次いで、図１９（ｃ）に示されるように、初期位置にあったプッシャー部材８５がさらに左方向に移動し、前段貯留部７５Ａにある４個の空のラック１２と、取り出し回収位置Ｒにある標本プレート１０を収納したラック１２と全て左方向に移動させる。そして、空のラック１２が取り出し回収位置Ｒに位置付けられると、プッシャー部材８５が動作を停止し、図２０（ａ）に示されるように、当該ラック１２が縦移動部７７によって後方へ取り出される。
【００９４】
その後、図２０（ｂ）に示されるように、プッシャー部材８５が初期位置に戻ると、再び移動阻止部材９０が底板８０上に突出する。このとき、標本プレート１０を収納したラック１２は、移動阻止部材９０によって若干左方向へ押され、空のラック１２は、移動阻止部材９０によって若干右方向へ押し戻されるので、取り出し回収位置Ｒのスペースを広く確保することができる。
【００９５】
次に、撮像済みの標本プレート１０をラック１２に収納する動作について説明する。
図２３は、ラック移動機構２４の縦移動部７７の動作を説明する概略側面図である。図２３（ａ）において、貯留部７５の取り出し回収位置Ｒから取り出されたラック１２は、縦移動部７７の係合爪９３を初期位置まで後退することによって、標本受け渡し位置Ｗよりも後側に位置している。そして、前述したように、上下移動機構２２が撮像済みの標本プレート１０を水平移動機構２３における搬送ケース５２から取り出し（図１０（ｂ）参照）、標本受け渡し位置Ｗの上段位置Ｈまで搬送すると、ラック移動機構２４の縦移動部７７がラック１２を前進させ（矢印ｙ１）、把持部３１の下方（標本収納位置）に位置付ける。
【００９６】
図１２に示されるように、ラック１２には、前後方向の複数箇所に標本プレート１０の収納スペースが設けられているので、縦移動部７７は、標本プレート１０を挿入すべき所定の収納スペースを標本プレート１０の下方に合わせるようにラック１２を前進させる。
次いで、図２３（ｂ）に示されるように、上下移動機構２２における把持部３１を下降させ、標本プレート１０をラック１２内に挿入する。
【００９７】
その後、図２３（ｃ）に示されるように、把持部３１の把持爪３３を開放した状態で把持部３１を上昇させる。ラック１２に対して続けて標本プレート１０を収納する場合には、縦移動部７７によってラック１２を後方に移動し（矢印ｙ２）、ラック１２に対する標本プレート１０の収納が終了した場合には、縦移動部７７によってラック１２をさらに前進させ（矢印ｙ３）、当該ラック１２を貯留部７５における取り出し回収位置Ｒに戻す。
当該ラック１２を貯留部７５に戻した場合、図１９（ｃ）及び図２０（ａ）に示されるように、新たな空のラック１２を貯留部７５から取り出し、再び図２３（ａ）以降の動作を繰り返し行う。
【００９８】
本実施の形態のラック移動機構２４は、ラック１２の長手方向（標本プレート１０の並列方向）を前後方向に向けた状態で、複数のラック１２を貯留部７５内に左右方向に並べてセットし、同貯留部７５内でラック１２を左右方向に搬送している。そのため、ラック１２の長手方向を左右方向に向けた場合に比べて、ラック移動機構２４の貯留部７５を左右方向にコンパクトに構成することができ、横移動部７６によるラック１２の左右方向の搬送距離も短くすることができる。
【００９９】
また、ラック移動機構２４は、貯留部７５に対するラック１２の取り出し回収方向と、ラック１２における標本プレート１０の並列方向とを一致させているので、貯留部７５に対してラック１２を取り出し回収する動作と、ラック１２の各収納スペースを標本プレート１０の待機位置に合わせる動作とを一方向の動きで行うことができ、これによってラック移動機構２４の構成を簡素化することができる。
【０１００】
本実施の形態の標本収納装置２０は、空のラック１２を貯留するための前段貯留部７５Ａと、撮像済みの標本プレート１０を収納したラック１２を貯留するための後段貯留部７５Ｂとを標本搬送装置３の前部側（標本移動機構２１〜２３よりも前方）に備えているので、使用者は、前段貯留部７５Ａに対するラック１２の供給と、後段貯留部７５Ｂからのラック１２の取り出しとを標本搬送装置３の前側の一箇所において行うことができ、これらの作業の作業性を向上させることができる。
【０１０１】
また、本実施の形態の標本検査システム１は、標本作製装置２と標本撮像装置４との間に標本搬送装置３が設けられており、標本作製装置２により作製した標本プレート１０は、標本撮像装置４に直接供給されるのではなく、標本搬送装置３を介して供給される。また、撮像済みの標本プレート１０は、標本撮像装置４において回収されるのではなく標本搬送装置３においてラック１２に回収される。そのため、標本撮像装置４には、標本作製装置２から標本プレート１０を受け取るための構造や、撮像済みの標本プレート１０を回収するための構造を備えなくても、標本搬送装置３に対する標本の受渡部４ｅを備えていればよい。そのため、構造の簡素化及び小型化を図ることができる。また、標本作製装置２にとっても、標本撮像装置４まで標本プレート１０を搬送する機構を備える必要がないので、構造を簡素化及び小型化を図ることができる。また、標本搬送装置３は、使用済みのカセット１１や撮像済みの標本プレート１０の回収を行うことができるので、使用者は、使用済みのカセット１１及び撮像済みの標本プレート１０を標本搬送装置３のみから取り出して処理をすればよく、当該処理の作業性を向上させることができる。
【０１０２】
なお、本実施の形態の標本搬送装置３は、検査結果（測定結果）に関する所定の条件を満たす標本（「特定標本」）と、当該条件を満たさない他の標本（「通常標本」）とを、互いに区別可能な状態でラック１２に収納する。そのための収納方法について、以下に詳述する。
【０１０３】
［ラック１２に対する標本プレート１０の収納規則］
本実施の形態の標本搬送装置３は、例えば再検査が必要な特定の標本プレート１０（「特定標本」）については、あとから容易にラック１２から取り出して再検査を実施することができるように、他の標本プレート１０（「通常標本」）とは区別してラック１２に収納するように構成されている。このような収納方法を実現するために、標本搬送装置３は、所定の収納規則に基づいてラック１２へ標本プレート１０を収納する。
【０１０４】
図２４は、ラックに対する標本の収納規則の一例を示す説明図である。
図２４に示されるラック１２には、凹溝１４によって標本プレート１０の収納スペースが合計１２箇所に形成されている。そして、各収納スペースには、標本搬送装置３の貯留部７５にセットされたときの前側から順に（１）〜（１２）の番号が設定されている。そして、このラック１２に対して、（１）〜（１０）を通常標本用の収納スペースとし、（１１）及び（１２）を特定標本用の収納スペースとする収納規則が適用されている。したがって、このラック１２には、２枚までの特定標本が通常標本と振り分けて収納されることになる。
【０１０５】
標本撮像装置４は、標本の画像データから血液中の細胞を分類し、細胞ごとに計数を行う。そして、計数の結果に何らかの異常が見られたときに、その標本を再検査が必要な「特定標本」と判定する。例えば、細分類できないような細胞が所定の閾値以上あった場合、通常は血液中に見られない細胞（骨髄球、後骨髄球、赤芽球等）が所定の閾値以上あった場合、異常細胞（巨大血小板、破損血球等）が所定の閾値以上あった場合には、その標本を再検査が必要な特定標本と判定する。その判定結果は、通信部４ｃ，３ｃを介して標本搬送装置３の制御部３ｂに送信され、標本搬送装置３の制御部３ｂは、その判定結果に基づいてラック１２における特定の収納スペースに特定標本を収納するように各機構部２０〜２３を動作制御する。
【０１０６】
特定標本の判定の条件となる細胞の種類や数についてはユーザーやサービスマン等が適宜設定することができ、その設定内容は制御部４ｂの記憶部に記憶される。また、ラック１２における特定標本用の収納スペースの配置についてもユーザーやサービスマン等が任意に設定することができ、その設定内容は、制御部３ｂの記憶部に記憶される。特定標本用の収納スペースの配置を設定する方法としては、例えば、特定標本用に設定しようとする複数の収納スペースのうち、最も前側の収納スペースの番号を標本搬送装置３に入力することによって、当該収納スペース以降を特定標本用に設定する方法を採用することができる。この場合、図２４に示す例では、例えばユーザー等が（８）番の収納スペースを入力したときは、（８）〜（１２）番の収納スペースが特定標本用に設定されることになる。
【０１０７】
次に、標本の検査結果に基づいてラック１２に標本プレート１０を収納する手順について説明する。図２５は、同手順を示すフローチャートである。なお、図２５において、「ｉ」は、収納スペースを選択する処理に使用される整数型の変数であって特定標本の数を示すもの、「ｎ」は、収納スペースを選択する処理に使用される整数型の変数であって通常標本の数を示すもの、「Ｚ」は、ラック１２内の収納スペースの総数（図２４の例では「１２」）、「Ａ」は、特定標本用の収納スペースの先頭の番号（図２４の例では「１１」）である。
【０１０８】
まず、標本撮像装置４の制御部４ｂは、測定指示がなされたか否かを常に判断しており（ステップＳ１）、当該測定指示がなされると、標本搬送装置３に問い合わせを行い、撮像の対象となる標本プレート１０があるか否かを判断する（ステップＳ２）。制御部４ｂは、当該標本プレート１０がない場合は処理を終了し、ある場合は処理をステップＳ３に進める。
撮像の対象となる標本プレート１０がある場合、当該標本プレート１０は標本搬送装置３から標本撮像装置４に搬送され、標本撮像装置４の撮像部４ａにおいて撮像される。制御部４ｂは、撮像された画像データから細胞の特徴抽出処理や識別分類処理（計数処理）等を含む測定（検査）を実施する（ステップＳ３）。
【０１０９】
次いで、制御部４ｂは、当該標本プレート１０における細胞の計数結果から、再検査が必要な特定標本か否かを判定する（ステップＳ４）。この判定は、上述したように所定の細胞が所定の閾値以上あるか否かにより行われる。そして、制御部４ｂは、その判定結果を標本搬送装置３に送信し（ステップＳ５）、ステップＳ２に処理を戻す。また、撮像後の標本プレート１０は、前述したとおりに標本搬送装置３に戻される。
【０１１０】
一方、標本搬送装置３の制御部３ｂは、電源の投入に伴って初期化動作を行う（ステップＳ１０１）。この初期化動作には、変数ｉ，ｎを０にリセットする処理も含まれる。
次いで、制御部３ｂは、ラック１２に収納する標本があるか否か（標本撮像装置４から撮像済みの標本プレート１０が戻ってきたか否か）を判断する（ステップＳ１０２）。そして、制御部３ｂは、収納する標本プレート１０がないと判断した場合は処理を終了し、収納する標本プレート１０があると判断した場合には、当該標本プレート１０についての判定結果（ステップＳ５で送信された判定結果）を受信するまで待機する（ステップＳ１０３）。
【０１１１】
次いで、制御部３ｂは、受信した判定結果により標本撮像装置４から戻ってきた標本プレート１０が特定標本であるか否かを判断する（ステップＳ１０４）。当該標本プレート１０が特定標本である場合には、ステップＳ１０５に処理を進め、特定標本でない場合にはステップＳ１０８に処理を進める。
ステップＳ１０５において、制御部３ｂは、変数ｉを１インクリメントし、さらに、ステップＳ１０６において、この変数ｉがｉ＝Ｚ−Ａ＋２の条件を満たすか否かを判断する。この判断は、変数ｉが、ラック１２に設定された特定標本用の収納スペースの最大数（図２４の例では２個）を超えるか否かを判断するものである。当該条件が満たされない場合、ステップＳ１０７において、制御部３ｂは、変数ｉを用いて選択した収納スペースに特定標本を収納する。具体的には、制御部３ｂは、第Ａ＋（ｉ−１）番目の収納スペースを選択する。図２４に示されるラック１２の場合、Ａ＝１１であるので、最初のＳ１０７の処理（ｉ＝１）では、（１１）番の収納スペースが選択されることになる。２回目のＳ１０７の処理(ｉ＝２)の場合、（１２）番の収納スペースが選択されることになる。なお、「Ａ」は、前述したように最も前側の特定標本用の収納スペースの番号であり、ユーザーやサービスマンが適宜設定することができる。特定標本の収納後、制御部３ｂは、処理をステップＳ１０２に戻す。
【０１１２】
一方、ステップＳ１０６において、ｉ＝Ｚ−Ａ＋２の条件を満たす場合、すなわち、変数ｉの値が、特定標本用の収納スペースの数よりも大きくなった場合、既にラック１２には、特定標本用の収納スペースが空いていないことになるので、制御部３ｂは、ラック１２を新たなものに入れ替える（ステップＳ１１１）。そして、入れ替えたラック１２における第Ａ番の収納スペース（特定標本用の先頭の収納スペース）に、特定標本を収納する（ステップＳ１１２）。その後、ステップＳ１１３において、変数ｉに「１」を代入し、変数ｎは「０」にリセットし、処理をステップＳ１０２に戻す。変数ｉに１を代入するのは、新たなラック１２の特定標本用の収納スペースには、ステップＳ１１２で１つの特定標本が収納されるからであり、変数ｎを０にリセットするのは、新たなラック１２の通常標本用の収納スペースには通常標本が収納されていないからである。
【０１１３】
ステップＳ１０４において、標本撮像装置４から搬送されてきた標本プレート１０が特定標本ではなく通常標本であった場合、ステップＳ１０８において、制御部３ｂは、変数ｎを１インクリメントし、さらに、ステップＳ１０９において、この変数ｎがｎ＝Ａの条件を満たすか否かを判断する。この判断は、変数ｎが、ラック１２に設定された通常標本用の収納スペースの最大数（図２４の例では１０個）を超えるか否かを判定するものである。
【０１１４】
当該条件が満たされない場合、ステップＳ１１０において、変数ｎを用いて選択した収納スペースに通常標本を収納する。具体的には、制御部３ｂは、第ｎ番の収納スペースを選択して通常標本を収納する。図２４に示されるラック１２の場合、最初のステップＳ１１０の処理（ｎ＝１）では、（１）番の収納スペースが選択され、２回目のステップＳ１１０の処理（ｎ＝２）では、（２）番の収納スペースが選択されることになる。通常標本の収納後、制御部３ｂは、処理をステップＳ１０２に戻す。
【０１１５】
一方、ステップＳ１０９において、ｎ＝Ａの条件を満たす場合、すなわち、変数ｎの値が、通常標本用の収納スペースの最大数よりも大きくなった場合、既にラック１２には、通常標本用の収納スペースが空いていないことになるので、制御部３ｂは、ラック１２を新たなものに入れ替える（ステップＳ１１４）。そして、入れ替えたラック１２における第１番の収納スペース（通常標本用の先頭の収納スペース）に、通常標本を収納する（ステップＳ１１５）。その後、ステップＳ１１６において、変数ｉを「０」にリセットし、変数ｎに「１」を代入し、処理をステップＳ１０２に戻す。変数ｉを０にリセットするのは、新たなラック１２の特定標本用の収納スペースには特定標本は収納されていないからであり、変数ｎに１を代入するのは、新たなラック１２の通常標本用の収納スペースには、ステップＳ１１５で１つの通常標本が収納されるからである。
【０１１６】
以上のように、本実施の形態では、ラック１２に対して特定標本が通常標本と区別したかたちで収納される。そのため、再検査を行う場合には、ユーザーは、ラック１２内の複数の標本プレート１０から容易に特定標本を識別して取り出すことができ、誤って通常標本を取り出してしまうのを防止することができる。また、特定標本用の収納スペースは、ラック１２の後部側の領域に配置され、通常標本用の収納スペースはラック１２の前部側の領域に配置されているので、特定標本と通常標本とを間違えることなく確実に識別することができる。
【０１１７】
なお、ラック１２における特定標本用の収納スペースと通常標本用の収納スペースとをより確実にユーザーに把握させるため、標本撮像装置４の表示モニター（表示部）４ｄや、標本搬送装置３の表示部（図示省略）に、例えば、図２４に示されるような特定標本用の収納スペースと通常標本用の収納スペースとを図で示した画像を表示してもよい。このような画像を表示部に表示すれば、特定標本用の収納スペースの配置（収納規則）を知らないユーザーであっても表示部を一目見れば特定標本用の収納スペースを容易に把握することができ、ラック１２から間違えることなく特定標本を取り出し、再検査に供することができる。なお、表示部への表示は標本撮像装置４の制御部４ｂや標本搬送装置３の制御部３ｂの処理により実行することができる。
【０１１８】
［収納手順の変形例］
図２６は、ラックに標本を収納する際の他の収納手順を示すフローチャートである。
図２５を参照して説明した収納手順では、標本撮像装置４の制御部４ｂが、標本画像データから細胞の計数データを求める測定を行い、さらに計数データから特定標本であるか否かの判定を行っていた。本変形例では、標本撮像装置４の制御部４ｂは、細胞の計数データを求める測定までを行い、特定標本であるか否かの判定は標本搬送装置３の制御部３ｂにおいて行うようにしたものである。
【０１１９】
図２６において、標本撮像装置４におけるステップＳ２１〜Ｓ２３の処理は、図２５におけるステップＳ１〜Ｓ３の処理と同じであるため、詳細な説明は省略する。そして、標本撮像装置４の制御部４ｂは、Ｓ２３において求められた測定結果、すなわち、細胞の計数データを標本搬送装置３に送信する（ステップＳ２４）。
【０１２０】
標本搬送装置３におけるステップＳ１２１、Ｓ１２２の処理は、図２５におけるステップＳ１０１、Ｓ１０２の処理と同じであるため、詳細な説明は省略する。そして、標本搬送装置３の制御部３ｂは、ステップＳ１２３において、標本撮像装置４から測定結果を受信するまで待機する。そして、測定結果を受信した場合には、細胞の計数データと所定の閾値とを比較し、特定標本であるか否かの判定、すなわち、図２５において標本撮像装置４のステップＳ４で行われていた判定を、制御部３ｂが実行する（ステップＳ１２４）。
【０１２１】
特定標本であるか否かの判定が行われた後のステップＳ１２５〜ステップＳ１３６の処理は、図２５に示されるステップＳ１０５〜Ｓ１１６の処理と同一であるため、詳細な説明は省略する。
【０１２２】
［収納規則の変形例］
図２７は、ラック１２に標本を収納する際の収納規則の他の例を示す説明図である。
図２４に示される例では、ラック１２における特定の収納スペース（１１）、（１２）が特定標本用として設定されていたが、図２７に示される例では、特定標本用の収納スペースの数は特定せず、ラック１２に対する特定標本及び通常標本の収納方向（収納順序）と、特定標本と通常標本との間における、標本が収納されない収納スペース（未収納領域）の数とが設定される。
【０１２３】
具体的には、通常標本は、ラック１２の前側（収納スペース（１））から後方へ向けて順番に収納され、特定標本は、ラック１２の後側（収納スペース（１２））から前方へ向けて順番に収納される。また、未収納領域として２つの収納スペースが設定されている。したがって、通常標本と特定標本とを順次収納していった結果、両者の間に２つの未収納領域ができた時点で、ラック１２は満杯になり、新たなラック１２に入れ替えられる。
【０１２４】
このような収納規則を採用することによって次のような利点がある。
すなわち、図２４に示されるように、ラック１２における特定の収納スペース（１１）、（１２）を特定標本用として設定する収納規則を採用した場合、特定標本と通常標本との一方の収納スペースに空きがあったとしても、他方の収納スペースが満杯になってしまうと、新たなラック１２に入れ替える必要が生じる。したがって、ラック１２内の収納スペースが有効に利用されなくなる可能性がある。
【０１２５】
これに対して、図２７に示される収納規則を採用した場合、未収納領域における収納スペースは無駄になるものの、その他の収納スペースは、標本収納のために必ず使用される。したがって、ラック１２内のできるだけ多くの収納スペースを有効に利用することができる。
また、図２７に示される収納規則を採用した場合、未収納領域を目印（仕切り）として、特定標本と通常標本とを容易に識別することができ、特定標本と通常標本とを間違って取り出してしまうことをより確実に防止することができる。
【０１２６】
図２８は、本変形例におけるラック１２への標本の収納手順を示すフローチャートである。なお、図２８において、「ｉ」、「ｎ」、「Ｚ」は、図２５で示したものと同様であり、「Ｂ」は、未収納領域として使用される収納スペースの数である。例えば、図２７に示される例では、Ｂ＝２となる。
図２８において、標本撮像装置４におけるステップＳ４１〜Ｓ４５の処理は、図２５におけるステップＳ１〜Ｓ５の処理と同一であるため、詳細な説明は省略する。
また、標本搬送装置３におけるステップＳ１４１〜Ｓ１４４の処理は、図２５におけるステップＳ１０１〜Ｓ１０４の処理と同一であるため、詳細な説明は省略する。
【０１２７】
そして、ステップＳ１４４において、制御部３ｂが、標本撮像装置４から搬送されてきた標本プレート１０が特定標本であると判断した場合、制御部３ｂは、変数ｉを１インクリメントし（ステップＳ１４５）、第Ｚ＋１−ｉ番の収納スペースを選択してその特定標本を収納する。図２７に示されるラック１２の場合、Ｚ＝１２であるので、最初のステップＳ１４６の処理（ｉ＝１）の場合では、（１２）番の収納スペースが選択され、２回目のステップＳ１４６の処理（ｉ＝２）の場合では、（１１）番の収納スペースが選択されることになる。
【０１２８】
一方、ステップＳ１４４において、制御部３ｂが、当該標本プレート１０が特定標本ではない通常標本であると判断した場合、ステップＳ１４７において、ｎを１インクリメントし、第ｎ番の収納スペースを選択してその通常標本を収納する。図２７に示されるラック１２の場合、最初のステップＳ１４８の処理（ｎ＝１）では、（１）番の収納スペースが選択され、２回目のステップＳ１４８の処理（ｎ＝２）では、（２）番の収納スペースが選択されることになる。
【０１２９】
その後、ステップＳ１４９において、制御部３ｂは、Ｚ−（ｉ＋ｎ）＝Ｂの条件を満たすか否かを判断する。この判断は、ラック１２の収納スペースの総数Ｚと、特定標本及び通常標本の合計数（ｉ＋ｎ）との差が、未収納領域の収納スペースの数Ｂと同一になったか否かを判断するものである。この条件を満たした場合、ラック１２は未収納領域を除いて満杯になったことになるので、制御部３ｂは、ステップＳ１５０において、ラック１２を新たなものに入れ替え、ステップＳ１５１において、変数ｉ及びｎを０にリセットし、処理をステップＳ１４２に戻す。ステップＳ１４９の条件が満たされない場合、ラック１２はまだ満杯となっていないので、そのまま処理をステップＳ１４２に戻す。
【０１３０】
［ラック１２のその他の実施の形態］
図２９は、ラック１２の他の実施の形態を示す概略平面図である。
このラック１２は、複数の標本プレート１０が前後方向に並列されている点では、上記実施の形態のラック１２と同様であるが、前後に隣接するものが左右逆方向に偏倚して収納されている。このようなラック１２を用いる場合には、特定標本と通常標本とを左右に振り分けて収納する収納規則を適用することが可能となる。
【０１３１】
本発明は、上記実施の形態に限定されるものではなく、特許請求の範囲に記載された発明の範囲内で適宜変更可能である。
例えば、本発明は、標本撮像装置４の内部でラック１２に標本を収納する、従来タイプ（例えば、特許文献１）の標本収納装置に対しても適用することができる。
また、図２４に示されるように、特定の収納スペースを特定標本用として設定する場合において、特定標本用の収納スペースと通常標本用の収納スペースとの間には、標本を収納しない１つ以上の収納スペースが設定されていてもよい。また、特定の収納スペースを特定標本用として設定する場合、標本プレート１０の並列方向の端部ではなく、中央部に特定の収納スペースを設定することもできる。
【０１３２】
また、上記実施の形態では、１つのラック１２内に特定標本用の収納スペースと通常標本用の収納スペースとを設けたが、特定標本用のラック１２と通常標本用のラック１２とをあらかじめ設定しておき、特定標本及び通常標本をそれぞれのラックに区別して収納してもよい。
【０１３３】
また、上記実施の形態では、特定標本と通常標本との２種類の標本を区別してラック１２に収納しているが、３種類以上の標本を区別して（振り分けて）収納してもよい。
また、上記実施の形態では、細胞の種類や数について所定の条件を満たすものを特定標本としていたが、これに限定されるものではなく、撮像エラーとなった標本、例えば、全く測定ができないもの、血球がみつからないもの、染色不良のもの等を特定標本とすることもできる。
【０１３４】
ラック移動機構２４において、貯留部７５における１箇所に取り出し回収位置Ｒが設定されているが、取り出し位置と回収位置とを別個に設けていてもよい。また、貯留部７５におけるラック１２の貯留数も適宜変更することができる。
また、標本搬送装置３に対する標本プレート１０の供給は、標本作製装置２からだけでなく、標本受入部２６に対して人手によって行うこともできる。
また、検査対象の試料は血液に限らず、尿や、子宮頸部から採取した試料などであってもよい。
【符号の説明】
【０１３５】
１        ：標本検査システム
２        ：標本作製装置
３        ：標本搬送装置
３ｂ      ：制御部
３ｃ      ：通信部
４        ：標本撮像装置
４ａ      ：撮像部
４ｂ      ：制御部
４ｃ      ：通信部
４ｄ      ：表示モニター（表示部）
１０      ：標本プレート
１２      ：ラック
２０      ：標本収納装置
２１      ：カセット移動機構
２２      ：上下移動機構
２３      ：水平移動機構
２４      ：ラック移動機構
【図１】
2014070943.tif 000003
【図２】
2014070943.tif 000004
【図３】
2014070943.tif 000005
【図４】
2014070943.tif 000006
【図５】
2014070943.tif 000007
【図６】
2014070943.tif 000008
【図７】
2014070943.tif 000009
【図８】
2014070943.tif 000010
【図９】
2014070943.tif 000011
【図１０】
2014070943.tif 000012
【図１１】
2014070943.tif 000013
【図１２】
2014070943.tif 000014
【図１３】
2014070943.tif 000015
【図１４】
2014070943.tif 000016
【図１５】
2014070943.tif 000017
【図１６】
2014070943.tif 000018
【図１７】
2014070943.tif 000019
【図１８】
2014070943.tif 000020
【図１９】
2014070943.tif 000021
【図２０】
2014070943.tif 000022
【図２１】
2014070943.tif 000023
【図２２】
2014070943.tif 000024
【図２３】
2014070943.tif 000025
【図２４】
2014070943.tif 000026
【図２５】
2014070943.tif 000027
【図２６】
2014070943.tif 000028
【図２７】
2014070943.tif 000029
【図２８】
2014070943.tif 000030
【図２９】
2014070943.tif 000031